(57)【要約】【課題】通常、２つの屋外ユニットがハイブリッドカプラを通して単一のアンテナに接続される。ハイブリッドカプラは、屋外ユニットの伝送及び受信信号に多大な損失を加え、システムの利得を低減させる。【解決手段】屋外無線通信システムであって、１つ又は複数の屋外カプラユニットと、前記１つ又は複数の屋外カプラユニットに結合された１つ又は複数の屋外ユニットであって、各屋外ユニットが１つ又は複数の送信機、１つ又は複数の受信機、１つ又は複数の送信フィルタ、及び１つ又は複数の受信フィルタを備える屋外ユニットと、前記１つ又は複数の屋外カプラユニットに結合した１つ又は複数のアンテナと、を備える。【選択図】  図２
2015053679.tif 000002
【特許請求の範囲】
【請求項１】
屋外無線通信システムであって、
１つ又は複数の屋外カプラユニットと、
前記１つ又は複数の屋外カプラユニットに結合された１つ又は複数の屋外ユニットであって、各屋外ユニットが１つ又は複数の送信機、１つ又は複数の受信機、１つ又は複数の送信フィルタ、及び１つ又は複数の受信フィルタを備える屋外ユニットと、
前記１つ又は複数の屋外カプラユニットに結合した１つ又は複数のアンテナと、
を備えるシステム。
【請求項２】
個々のアンテナが、前記１つ又は複数の屋外カプラユニットの外側のサーキュレータを通して、前記１つ又は複数の屋外カプラユニットのうち１つの屋外カプラユニットに結合される、請求項１に記載のシステム。
【請求項３】
４つの屋外ユニットが個々の屋外カプラユニットに結合し、各屋外ユニットが異なる周波数チャネルに合わせて調整され、
１つ又は複数のアンテナが前記個々の屋外カプラユニットに結合する、請求項１に記載のシステム。
【請求項４】
前記４つの屋外ユニットの第１の屋外ユニット及び第２の屋外ユニットが、第１のアンテナに通信状態で結合し、
前記４つの屋外ユニットの第３の屋外ユニット及び第４の屋外ユニットが、前記第１のアンテナとは異なる第２のアンテナに通信状態で結合する、請求項３に記載のシステム。
【請求項５】
前記４つの屋外ユニットの受信機が第１のアンテナに通信状態で結合し、
前記４つの屋外ユニットの送信機が、第２のアンテナに通信状態で結合する、請求項３に記載のシステム。
【請求項６】
前記屋外カプラユニットが、
１つ又は複数の信号通信ポートを備えた第１のＯＤＵインタフェースモジュールと、
１つ又は複数の信号通信ポートを備えた第２のＯＤＵインタフェースモジュールと、
相互に結合した１つ又は複数のサーキュレータを備えたサーキュレータ筐体と、を備え、前記１つ又は複数のサーキュレータが、前記第１のＯＤＵインタフェースモジュール及び前記第２のＯＤＵインタフェースモジュールの前記信号通信ポートに結合する、請求項１に記載のシステム。
【請求項７】
前記サーキュレータ筐体の前記１つ又は複数のサーキュレータが導波路サーキュレータであり、前記１つ又は複数のサーキュレータが導波路を使用して相互に結合される、請求項６に記載のシステム。
【請求項８】
少なくとも１つの磁石が前記サーキュレータ筐体の第１の側に配置され、少なくとも１つの磁石が前記サーキュレータ筐体の第２の側に配置され、したがって前記磁石が前記１つ又は複数の導波路サーキュレータと位置合わせされるように配置される、請求項７に記載のシステム。
【請求項９】
前記サーキュレータ筐体の前記１つ又は複数のサーキュレータが同軸サーキュレータであり、前記１つ又は複数のサーキュレータが同軸ケーブルを使用して相互に結合される、請求項６に記載のシステム。
【請求項１０】
前記サーキュレータ筐体の前記１つ又は複数のサーキュレータが、導波路サーキュレータと同軸サーキュレータとの組み合わせであり、前記１つ又は複数のサーキュレータが、導波路と同軸ケーブルの組み合わせを使用して相互に結合される、請求項６に記載のシステム。
【請求項１１】
前記第１のＯＤＵインタフェースモジュールの前記信号通信ポートが、第１の伝送ポート及び第１の受信ポートを備え、
前記第２のＯＤＵインタフェースモジュールの前記信号通信ポートが、さらに第２の伝送ポート及び第２の受信ポートを備え、
前記サーキュレータ筐体が３つのサーキュレータを備え、したがって第１のサーキュレータが前記第１の伝送ポート及び前記第２の伝送ポートからの伝送信号を合成し、受信した信号を分割して、前記第１の受信ポート及び前記第２の受信ポートに送信し、第３のサーキュレータが前記第１のサーキュレータ及び前記第２のサーキュレータと通信状態で結合して、アンテナポートを通して信号をアンテナとの間で配向する、請求項６に記載のシステム。
【請求項１２】
前記第１のＯＤＵインタフェースモジュールの前記信号通信ポートが第１の伝送ポート、第１の受信ポート、第２の伝送ポート及び第２の受信ポートを備え、
前記第２のＯＤＵインタフェースモジュールの前記信号通信ポートが、さらに第３の伝送ポート、第３の受信ポート、第４の伝送ポート及び第４の受信ポートを備え、
前記サーキュレータ筐体が複数のサーキュレータを備え、したがって各伝送ポート及び受信ポートが１つのサーキュレータに結合し、少なくとも１つのサーキュレータが少なくとも１つのアンテナに結合される、請求項６に記載のシステム。
【請求項１３】
前記屋外カプラユニットがさらに第１の受信アンテナポート及び第１の伝送アンテナポートを備える、請求項６に記載のシステム。
【請求項１４】
前記屋外カプラユニットがさらに第１の受信拡張ポート及び第１の送信拡張ポートを備える、請求項６に記載のシステム。
【請求項１５】
屋外カプラユニット内でマイクロ波伝送信号を伝送する方法であって、
前記屋外カプラユニットの第１の伝送ポートで第１の伝送信号を受信することと、
前記屋外カプラユニットの第２の伝送ポートで第２の伝送信号を受信することと、
第３の伝送信号を生成するために、前記屋外カプラユニット内の第１のサーキュレータにて前記第１の伝送信号を前記第２の伝送信号と合成することと、
前記第３の伝送信号を前記屋外カプラユニット内の第２のサーキュレータに送信することと、
アンテナに出力するために、前記第２のサーキュレータにて前記第３の伝送信号を選択することと、
を含む方法。
【請求項１６】
屋外カプラユニット内でマイクロ波伝送信号を受信する方法であって、
前記屋外カプラユニット内の第１のサーキュレータにてアンテナから第１の受信信号を受信することと、
第２のサーキュレータに出力するために、前記第１のサーキュレータにて前記第１の受信信号を選択することと、
前記第２のサーキュレータにて前記第１の受信信号を第２の受信信号と第３の受信信号に分割することと、
前記屋外カプラユニットの第１の受信ポートにて前記第２の受信信号を受信することと、
前記屋外カプラユニットの第２の受信ポートにて前記第３の受信信号を受信することと、
を含む方法。
【発明の詳細な説明】
【技術分野】
【０００１】
（関連出願）
【０００２】
[0001]  本出願は２０１４年７月７日出願の米国特許出願第１４／３２５，２２２号「OUTDOOR COUPLER UNIT UTILIZING CIRCULATOR NETWORK」に対する優先権を主張し、これは２０１３年９月５日出願の米国仮特許出願第６１／８７４，２７５号「OUTDOOR COUPLER UNIT UTILIZING CIRCULATOR NETWORK」に対する優先権を主張し、上記両出願は参照により全体が本明細書に組み込まれる。
【０００３】
[0002]  本発明はマイクロ波無線通信に使用される機器に、特にアンテナとデジタル通信網との間の送信信号と受信信号との低損失の合成及び分割を可能にする屋外カプラユニット（ＯＣＵ）に関する。
【背景技術】
【０００４】
[0003]  マイクロ波通信システムは通常、マイクロ波アンテナに接続された屋外ユニット（ＯＤＵ）で構成される。マイクロ波アンテナは、別のＯＤＵが接続された別のマイクロ波アンテナを指向する。ＯＤＵの対及び関連するアンテナはリンクを構成する。ＯＤＵは通常、アンテナ、すなわちクライアントのネットワークを通して別のＯＤＵとの間でデータを伝送及び受信する送信機及び受信機を含む。
【０００５】
[0004]  通常、２つのＯＤＵがハイブリッドカプラを通して単一のアンテナに接続される。ハイブリッドカプラは、ＯＤＵの伝送及び受信信号に多大な損失を加え、システムの利得を低減させる。システムの利得は、リンク内にあるアンテナ間の走査可能な距離を決定するので、この損失は望ましくない。損失の増大は、リンクされたネットワーク中のアンテナ数の増加に対して購入費及び維持費の増加につながる。ハイブリッドカプラの別の限界は、それに２つのＯＤＵしか接続できないことである。このようなシステム内で１つのＯＤＵが故障すると、ネットワークの通信量に対する影響が多大になることがある。また、ハイブリッドカプラを通したＯＤＵ間の分離が制限され、これは干渉を引き起こすことがある。
【発明の概要】
【０００６】
[0005]  屋外カプラユニット（ＯＣＵ）は、複数のＯＤＵの伝送信号と受信信号を合成するサーキュレータで構成される。サーキュレータは、場合によっては同軸サーキュレータ又は導波路サーキュレータとすることができ、同軸ケーブル又は導波路などの媒体を使用してサーキュレータを結合することができる。同軸サーキュレータは、ハイブリッドカプラより低損失の信号出力を提供し、統合された導波路サーキュレータは信号損失をさらに低減させる。
【０００７】
[0006]  幾つかの実施形態では、リンクのデータ処理量を増加させるため、又はハードウェアの故障又は空気中経路の劣化に対して保護を提供するために、複数のＯＤＵが１つのアンテナに接続される。任意のアンテナの帯域の利用度を上げるために、追加のＯＤＵは空間ダイバーシティ又は交差極干渉消去などの技術を使用することができる。複数のＯＤＵを１つのアンテナに接続するのではなく、追加のアンテナを任意のシステムに設置することができるが、費用が膨大になることがある。
【０００８】
[0007]  ＯＣＵは、３つ以上のＯＤＵを支援して、無線通信システムの安定性及び信頼性を向上させるように設計することができる。ＯＣＵは、ＲＸ及びＴＸ拡張ポートを追加し、必要に応じて第２のＯＣＵを縦続結合することによって、さらに拡張するように設計することもできる。ＯＣＵは、１つ又は複数のアンテナと一緒に使用するように設計することができる。例示的無線通信システムには、２つのＯＤＵに結合された１つのＯＣＵ、４つのＯＤＵに結合された１つのＯＣＵ、及び８つのＯＤＵに結合された２つのＯＣＵを含むものもある。システム中のアンテナの数、各アンテナが割り当てられる位置、及び使用されている拡張ポートの有無に応じて、ＯＤＵは様々な構成でＯＣＵ内のサーキュレータに結合することができる。
【０００９】
[0008]  屋外で使用するようにＯＣＵを設計することの利点には、屋内の装置よりもはるかにアンテナの近傍に、及び場合によってはアンテナ自体の真上に配置できることがある。ＯＣＵがアンテナに近接していることにより、ＯＣＵとアンテナの間の接続を短くすることができ、ＲＦ損失が低減する。屋内システムはＯＣＵより大きいスペースを占有し、その結果、無線通信システム用の空間を購入又は賃貸する費用が増加する。ＯＣＵは、屋外に位置決めされることによって換気されているので、冷蔵又は人工冷却システムの必要性もなくすことができる。さらに、ＯＣＵは受動部品しか備えず、周波数固有のフィルタがないので、交換又は保守のために１つのＯＤＵをオフラインにしてもＯＣＵを停止する必要がない。残りの１つ又は複数のＯＤＵは動作し続け、したがってこのリンクにおけるネットワークトラフィックの完全な停止を回避することができる。ＯＣＵは、風、雨、湿度、及び高温又は低温などの様々な環境ストレス要因に耐えるように設計されている。
【図面の簡単な説明】
【００１０】
[0009]  本発明をさらに理解するために提供され、本明細書に組み込まれ、本明細書の一部を構成する添付図面は、本発明の実施形態を図示し、その記載とともに本発明の原理を説明する働きをする。幾つかの図を通して同様の参照番号は対応する部品を指す。
【００１１】
【図１Ａ】[0010]２つのＯＤＵ及びハイブリッドカプラを利用する既存の無線通信システムの概略図である。
【図１Ｂ】[0011]２つのＯＤＵ及び中間筐体を利用する既存の無線通信システムの概略図である。
【図２】[0012]２つのＯＤＵ及び１つのＯＣＵを使用する例示的無線通信システムの概略図である。
【図３】[0013]同軸ケーブル及び同軸サーキュレータを備える、２つのＯＤＵを支援する例示的ＯＣＵの図である。
【図４】[0014]導波路及び導波路サーキュレータを備える、２つのＯＤＵを支援する例示的ＯＣＵの図である。
【図５】[0015]導波路及び導波路サーキュレータを備える、ＯＣＵの例示的サーキュレータ板の伝送サーキュレータ側の図である。
【図６】[0016]導波路及び導波路サーキュレータを備える、ＯＣＵの受信サーキュレータ板の受信サーキュレータ側の図である。
【図７Ａ】[0017]図３から２つのＯＤＵ及び１つのＯＣＵを使用する例示的無線通信システムの概略図である。
【図７Ｂ】[0018]ＲＸ拡張ポート及びＴＸ拡張ポートを有する２つのＯＤＵ及び１つのＯＣＵを使用する例示的無線通信システムの概略図である。
【図８】[0019]２つのＯＤＵを支援し、ＲＸ拡張ポート及びＴＸ拡張ポートを備える例示的ＯＣＵのサーキュレータ板の２つの側の図である。
【図９】[0020]４つのＯＤＵを支援するように設計された例示的ＯＣＵの概略図である。
【図１０】[0021]４つのＯＤＵを支援するように設計されたＯＣＵの例示的サーキュレータ板の受信サーキュレータ側の図である。
【図１１】[0022]２つのアンテナ、４つのＯＤＵ、４つのＯＤＵを支援するように設計された拡張の可能性のために拡張ポートを備えるＯＣＵを備える例示的無線通信システムの概略図である。
【図１２】[0023]１つのアンテナ、１つの外部サーキュレータ、４つのＯＤＵ、４つのＯＤＵを支援するように設計されて拡張の可能性のために拡張ポートを備えるＯＣＵを備えた例示的無線通信システムの概略図である。
【図１３】[0024]１つのアンテナ、１つの外部サーキュレータ、８つのＯＤＵ、及びそれぞれが４つのＯＤＵを支援するように設計されて拡張の可能性のために拡張ポートを備える２つのＯＣＵを備えた例示的無線通信システムの概略図である。
【図１４】[0025]拡張ポートなしに４つのＯＤＵを支援するように設計され、２つのアンテナと結合した例示的ＯＣＵの概略図である。
【図１５】[0026]拡張ポートなしに４つのＯＤＵを支援するように設計され、１つのアンテナに結合された例示的ＯＣＵの概略図である。
【図１６】[0027]屋外結合ユニットから信号を伝送する方法の流れ図である。
【図１７】[0028]屋外結合ユニットで信号を受信する方法の流れ図である。
【発明を実施するための形態】
【００１２】
[0029]  次に、実施形態を詳細に参照し、その例を添付図面に示す。以下の詳細な記載では、本明細書で提示する主題の理解を支援するために、多くの非制限的な個々の詳細について説明する。しかし、本発明の範囲から逸脱することなく様々な代替物を使用することができ、当業者であればこれらの個々の詳細以外で主題を実施できることが明らかである。例えば、当業者であれば、本明細書で提示する手段を多くのタイプの無線通信システムに実装できることが明らかである。
【００１３】
[0030]  図１Ａは、フレキシブル導波路１１０を使用してアンテナ１０２に接続されたハイブリッドカプラ（１０６）に取り付けられた２つのＯＤＵ（屋外ユニット）１０４及び１０８を含む既存のマイクロ波無線通信システム１００の概略図である。ハイブリッドカプラ１０６は、受信した信号を分割し、伝送信号を合成するためにマイクロ波無線通信システムで使用される。ハイブリッドカプラ１０６は平衡又は不平衡である。平衡ハイブリッドカプラは、信号を出力が類似した２つの信号に分割する。不平衡ハイブリッドカプラは、信号を出力が異なる２つの信号に分割する。平衡ハイブリッドカプラによる各ＯＤＵのＴＸ及びＲＸ信号の損失は通常、３．５〜４ｄＢである。不平衡ハイブリッドカプラによる損失は通常、一方のＯＤＵでは１．５〜２ｄＢ、他方のＯＤＵでは６．５〜７．０ｄＢである。幾つかの実施形態では、ハイブリッドカプラ１０６及びそのＯＤＵ対１０４及び１０８はアンテナ１０２に取り付けられ、フレキシブル導波路１１０の長さを短縮する。
【００１４】
[0031]  既存の無線通信システム１００の幾つかの実施形態では、ＯＤＵ１０４又はＯＤＵ１０８がバックアップシステムとして作動することができる。このシステムの各ＯＤＵは、デュプレクサに接続された送信機及び受信機を含む。ハイブリッドカプラは、２つのＯＤＵを支援するように設計されている。システム１００の限界は、ハイブリッドカプラがサーキュレータベースのシステムと比較して相対的に損失が多く、ハイブリッドカプラを２つのＯＤＵの支援にしか使用できないことである。
【００１５】
[0032]  図１Ｂは、２つのＯＤＵ１１２及び１１４、及びアンテナ１０２に結合された中間筐体１１６を使用する別の既存の無線通信システム１１８の概略図である。このシステムでは、ＯＤＵ１１２及び１１４はフィルタ又はデュプレクサを含まない。中間筐体１１６は、複数のＴＸ及びＲＸフィルタと、複数のサーキュレータとを備える。このシステムの限界は、中間筐体がチャネル固有であるように構築されていることである。何故なら、それぞれが特定の周波数チャネルに調整された複数のＴＸ及びＲＸフィルタを含むからである。このシステムでは、システム１１８のチャネルを変更する必要が出てきた場合、中間筐体１１６はフィルタをスワップアウトするために停止し、分解する必要がなくなる。中間筐体１１６はすべてのチャネルフィルタを含んでいるので、クライアントは、筐体を組み立てる前に所望のチャネルをすべて知っておく必要がある。これは問題となる。何故なら、クライアントは無線通信システム１１８を組み立てる前に特定の周波数帯で運転する認可を獲得することができるが、後になるまでどの周波数チャネルを使用したいのか分からないことがあるからである。周波数帯は多くの周波数チャネルを含み、任意のシステムで特定のチャネルを使用するにはトレードオフがある。
【００１６】
[0033]  図２は、２つのＯＤＵ２０４及び２０６、及びアンテナ１０２に結合されたＯＣＵ（屋外カプラユニット）２０２を使用する例示的無線通信システム２００の概略図である。幾つかの実施形態では、ＯＣＵ２０２は、ＯＤＵ２０４及び２０６とともにアンテナ１０２に直接結合される。幾つかの実施形態では、ＯＣＵ２０２はＯＤＵ２０４及び２０６とともにアンテナから離れた距離に位置決めされ、導波路によってアンテナに結合される。同様の機能のために設計された屋内ユニットとは異なり、ＯＣＵ２０２は雨、風、雪、湿度及び高温又は低温などの屋外に設置されることにより環境ストレスに耐えるように特別に設計される。その設計の堅牢性により、ＯＣＵ２０２はそれに対応する１つ又は複数のアンテナに、又はその非常に近傍に位置決めすることができる。これによって、１つ又は複数のアンテナとＯＣＵ２０２の間の通信リンクを短縮することができ、その結果、信号の劣化が低減される。
【００１７】
[0034]  システム２００内で１つのチャネルを変更する必要がある場合、一方のＯＤＵをオフラインにして、ＯＣＵ２０２は他方のＯＤＵがまだ作動している状態で作動し続けることが可能であることに留意されたい。これによって、ＯＣＵ２０２を停止しなければならない場合よりもネットワークトラフィックに対する干渉がはるかに少ない状態で、日常の保守を実施することができる。ＯＣＵ２０２は受動的要素を備え、これによってエネルギー及び空間的に効率的な設計が可能である。
【００１８】
[0035]  幾つかの実施形態では、ＯＤＵ２０４及びＯＤＵ２０６はそれぞれ送信機、受信機、送信フィルタ及び受信フィルタを備える。送信フィルタ及び受信フィルタは、特定の周波数チャネルに対応するように特別に調整される。ＯＣＵ２０２は３つのサーキュレータ２０８、２１０及び２１２、及びサーキュレータを相互に接続する複数の波動伝達媒体、さらにアンテナ１０２及びＯＤＵ２０４及びＯＤＵ２０６を備えたコンパクトなモジュールである。ＯＣＵ２０２は、広範囲の周波数に使用することができる。幾つかの実施形態では、ＯＣＵ２０２は特定の周波数帯に対応するようにカスタム化することができ、ここで任意の周波数帯は複数の周波数チャネルを備える。
【００１９】
[0036]  ＯＣＵ２０２は、アンテナ１０２の非常に近傍で信号を効率的に合成、分割、伝送及び受信するように働く。サーキュレータは、第１のポートを通して信号を受信し、第２のポートから受信信号を伝送するように調整された受動部品である。３ポートサーキュレータは、第１のポートを通して信号を受信し、第２のポートを通して信号を伝送して、第２のポートを通して異なる信号を受信し、第３のポートを通して異なる信号を伝送する。同様に、第３のポートを通して受信した信号は、第１のポートから伝送される。幾つかの実施形態では、サーキュレータ２０８、サーキュレータ２１０及びサーキュレータ２１２は３ポートサーキュレータである。
【００２０】
[0037]  ＯＣＵ２０２がアンテナ１０２から第１のＲＸ信号を受信している場合、第１のＲＸ信号はサーキュレータ２１２の第１のポートで受信される。第１のＲＸ信号はサーキュレータ２１２の第２のポートへと伝達され、そこでサーキュレータ２０８の第１のポートへと伝送される。サーキュレータ２０８にて、第１のＲＸ信号は、ＯＤＵ２０４のＲＸフィルタに電気的に結合された第２のポートから出る。ＯＤＵ２０４のＲＸフィルタは、第１のＲＸ信号の特定の周波数サブバンド／チャネルがＯＤＵ２０４の受信機を通過できるように設計される。ＯＤＵ２０４のＲＸフィルタの周波数サブバンドと適合しない第１のＲＸ信号の残りの成分は、反射してサーキュレータ２０８の第２のポートへと戻る。サーキュレータ２０８の第２のポートから、第１のＲＸ信号の反射部分は、ＯＤＵ２０６のＲＸフィルタに電気的に結合されたサーキュレータ２０８の第３のポートを通して送られる。ＯＤＵ２０６のＲＸフィルタは、第１の信号の残りを受信し、それをＯＤＵ２０６の受信機に渡すように設計される。この方法で、サーキュレータ２０８は、第１のＲＸ信号をＯＤＵ２０４及びＯＤＵ２０６がそれぞれ受信するための成分信号に分割するように効果的に作用する。
【００２１】
[0038]  伝送モードで、ＯＣＵ２０２のサーキュレータ２１０は、ＯＤＵ２０４のＴＸフィルタからサーキュレータ２１０の第１のポートにて第１のＴＸ信号を受信する。次に、第１のＴＸ信号はサーキュレータ２１０の第２のポートを通して出力される。サーキュレータ２１０の第２のポートは、ＯＤＵ２０６のＴＸフィルタに電気的に結合される。第１のＴＸ信号はＯＤＵ２０６のＴＸフィルタに遭遇し、反射してサーキュレータ２１０の第２のポートへと戻る。サーキュレータ２１０の第２のポートは、ＯＤＵ２０６内の送信機からＯＤＵ２０６のＴＸフィルタを通る第２のＴＸ信号も受信する。第１のＴＸ信号及び第２のＴＸ信号はそれぞれ、その対応するＴＸフィルタが合うように調整された特定の周波数で構成された成分信号である。サーキュレータ２１０は、その第３のポートを通して第１のＴＸ信号及び第２のＴＸ信号を出力する。サーキュレータ２１０の第３のポートは、サーキュレータ２１２の第３のポートと電気的に結合される。サーキュレータ２１２は第１のＴＸ信号及び第２のＴＸ信号を受信し、アンテナ１０２と電気的に結合したその第１のポートを通してこれを出力する。この方法で、サーキュレータ２１０は２つの成分ＴＸ信号を合成するように効果的に作用し、サーキュラー２１２はアンテナ１０２に信号を伝送して、アンテナ１０２から信号を受信するアイソレータとして作用する。
【００２２】
[0039]  図３は、２つのＯＤＵを支援し、同軸ケーブル及び同軸サーキュレータを備える例示的ＯＣＵ３００の図である。図３は、２つのＯＤＵを支援することができる同軸ベースのＯＣＵの１つの可能な構造図にすぎないことを理解されたい。例えば、ＯＣＵ３００は立方体又は別の多面柱の形状でよい。
【００２３】
[0040]  ＯＣＵ３００は同軸ケーブルを利用して、内側の３つの同軸サーキュレータ３０８、３１４及び３１６を接続する。ＯＣＵ３００はサーキュレータ支持構造３０２を備える。サーキュレータ支持構造３０２は、中実板、フレーム又は箱などのサーキュレータ及び同軸ケーブルを収容するタスクを遂行するために幾つかの異なる方法で形成することができる。ＯＣＵ３００はさらに、サーキュレータ及びケーブルを収容するサーキュレータ支持構造３０２の部分を保護する第１の板３０４及び第２の板３１８を備える。ポート板３２０及び３２２は、受信機ポート３１２、送信機ポート３１０、及びサーキュレータ支持構造３０２の他方側にある対応するポート対などの信号通信ポートを保護し、それへのアクセスを提供する。ポート板３２０及び３２２は、ＯＤＵインタフェースモジュールと見なすこともできる。信号通信ポートを使用してＯＣＵと接続するＯＤＵとのインタフェースをとるからである。ＯＣＵ３００は、この実施形態ではアンテナインタフェースモジュール３０６を通してアンテナとインタフェースをとる。
【００２４】
[0041]  図４は、導波路及び導波路サーキュレータを備え、２つのＯＤＵを支持するように設計された例示的ＯＣＵ４００の図である。同軸ベースのＯＣＵについて述べたように、図４は２つのＯＤＵを支持することができる導波路ベースのＯＣＵの１つの可能な構造図を表す。例えば、ＯＣＵ４００は立方体、又は別の多面柱の形状とすることができる。
【００２５】
[0042]  ＯＣＵ４００は、同軸ケーブルではなく４１０などの導波路を利用して、サーキュレータを相互に結合する。この実施形態では、ＯＣＵ４００は第１の側及び第２の側４０４を有する第１の板４０２を備える。第１の板４０２の第１の側は、同軸ケーブルなどの板を通過する１つ又は複数の信号インタフェース媒体と結合した１つ又は複数の信号通信ポートを有し、通常の作動中にＯＣＵ４００を２つのＯＤＵの一方と結合する。この実施形態では、第１の板４０２の第１の側は、ＯＤＵから信号を伝送する１つのポートと、ＯＤＵから信号を受信する１つのポートとを有する。第１の板４０２の第２の側４０４は、サーキュレータ板４０６と接続することができる。ＯＣＵ４００は、第１の側４１８及び第２の側を有する第２の板４１６も備える。第２の板４１６の第２の側は、第１の板４０２の第２の側４０４と実質的に同様であり、これもサーキュレータ板４０６と接続することができる。この例示的実施形態では、第２の板４１６の第１の側４１８はＯＤＵからの伝送信号用の１つのポート、及びＯＤＵからの受信信号用の１つのポートを有し、それぞれが同軸ケーブルなどの板を通過する信号インタフェース媒体を導波路上の個々の位置に結合する。幾つかの実施形態では、第２の板４１６の第１の側４１８は第２の板４１６の第２の側４１８の窪みに配置された１つ又は複数の磁石４２０も有する。１つ又は複数の磁石４２０は、サーキュレータ板４０６に位置決めされた１つ又は複数の導波路サーキュレータの中心と位置合わせされる。これによって、ＯＣＵ４００を完全に組み立てた場合に、外部に位置決めされた磁石によって１つ又は複数の導波路サーキュレータを調節することができる。第１の板４０２の第１の側は、サーキュレータ板に位置決めされた１つ又は複数の導波路サーキュレータの中心と位置合わせされた１つ又は複数の磁石４２０も備える。幾つかの実施形態では、ＯＣＵ４００は導波路と同軸ケーブルの組み合わせ、さらに導波路サーキュレータと同軸サーキュレータの組み合わせを利用することができる。第１の板４０２及び第２の板４１６はＯＤＵインタフェースモジュールと見なすこともできる。信号通信ポートを使用してＯＣＵに接続したＯＤＵとインタフェースをとるからである。
【００２６】
[0043]  サーキュレータ板４０６は１つ又は複数の導波路、及び導波路に接続した１つ又は複数のサーキュレータを備える。この実施形態では、サーキュレータ板４０６は第１の側及び第２の側４０８を有する。１つ又は複数の導波路サーキュレータを、サーキュレータ板４０６の第１の側又は第２の側４０８に配置することができる。ＯＣＵ４００はさらに、装着板４１２及びアンテナインタフェースモジュール４１４を備える。
【００２７】
[0044]  図５は、図４の例示的ＯＣＵ４００のサーキュレータ板４０６の第１の側５０２の図である。この実施形態では、サーキュレータ板４０６の第１の側５０２を伝送サーキュレータ側５０２とも呼ぶことができる。伝送導波路サーキュレータ５０４がサーキュレータ板４０６のこの側に位置決めされているからである。導波路サーキュレータ５０４は３つもポート５０４Ａ、５０４Ｂ及び５０４Ｃを有する。導波路サーキュレータ５０４は図２のサーキュレータ２１０に対応する。サーキュレータ板４０６は板４０６の各側にコネクタ及び同軸ケーブル導波路間遷移部を有し、各ＯＤＵのＴＸ及びＲＸ信号を特定の導波路サーキュレータに接続する。この伝送サーキュレータ側５０２では、５０６Ａは図４の第１の板４０２の第１の側にあるＯＤＵから受信したＴＸ信号の同軸ケーブル導波路間遷移部を表す。同軸ケーブル導波路間遷移部５１０Ａは、サーキュレータ板４０６の第２の側４０８から来て、第２の板４１６の第１の側４１８上でＯＤＵからのＴＸ信号の伝送を可能にする。５０８Ａは、第１の板４０２の第１の側にあるＯＤＵのために、サーキュレータ板４０６の第２の側４０８にある受信機導波路サーキュレータからのＲＸ信号を取得する同軸ケーブル導波路間遷移部である。
【００２８】
[0045]  幾つかの実施形態では、導波路４１０は、導波路の区間毎にサーキュレータ板４０６中に通路を切り取り、切り取った部分の頂部にカバーを配置して閉じた中空路を形成することによって構築することができる。このような場合、カバーはアルミニウム、真鍮、銅、銀又は金など、多様な材料のいずれかで作成することができる。導波路４１０は、多様な材料から形成された可撓管でもよい。伝送サーキュレータ側５０２の導波路の一部分は、開口５１２を通ってサーキュレータ板４０６の他方側へと通過する。導波路のこの部分は、導波路サーキュレータ５０４のポート５０４Ｃから複合ＴＸ信号を伝送する。この実施形態では、導波路サーキュレータ５０４は、サーキュレータポート５０４Ａにて同軸ケーブル導波路間遷移部５０６Ａからの信号を、サーキュレータポート５０４Ｂにて同軸ケーブル導波路間遷移部５１０Ａからの信号を取得する。
【００２９】
[0046]  図６は、例示的ＯＣＵ４００のサーキュレータ板４０６の第２の側４０８の図である。この実施形態では、サーキュレータ板４０６の第２の側４０８を受信サーキュレータ側４０８と呼ぶこともできる。受信導波路サーキュレータ６０４がサーキュレータ板４０６のこの側に位置決めされるからである。導波路サーキュレータ６０４は３つのポート６０４Ａ、６０４Ｂ及び６０４Ｃを有する。導波路サーキュレータ６０４は図２のサーキュレータ２０８に対応する。この受信サーキュレータ側４０８では、５０８Ｂは遷移部５０８Ａを通して第１の板４０２の第１の側でＯＤＵに送信されるＲＸ信号の同軸ケーブル導波路間遷移部である。同軸ケーブル導波路間遷移部６０２によって、第２の板４１６の第１の側４１８上でＯＤＵにＲＸ信号を送信することができる。遷移部５１０Ｂは、サーキュレータ板４０６の第１の側５０２の遷移部５１０Ａに対応する。
【００３０】
[0047]  この実施形態では、導波路サーキュレータ６０４はサーキュレータポート６０４Ａを通して遷移部５０８Ｂに信号を送信し、サーキュレータポート６０４Ｂを通して遷移部６０２に信号を送信して、ポート６０４Ｃを通してアンテナから第１のＲＸ信号を受信する。この実施形態では、導波路サーキュレータ６０６は図２のサーキュレータ２１２に対応する。サーキュレータ６０６２は、開口５１２を通してサーキュレータ板４０６の第１の側５０２にある導波路サーキュレータ５０４からのＴＸ信号をポート６０６Ｂにて受信する。サーキュレータ６０６はポート６０６Ａを通して第１のＲＸ信号を出力し、ポート６０６Ｃは導波路６１０上でアンテナに伝送信号を送信して、アンテナから信号を受信する。
【００３１】
[0048]  図７Ａは、図２Ｂの２つのＯＤＵ２０４及び２０６及びＯＣＵ２０２を使用する例示的無線通信システム２００の概略図である。これは、無線通信システム中のＯＤＵの数にかかわらず、ＯＣＵの基本的機能を達成するために、幾つかの用途では結合器としてサーキュレータを使用し、他の用途ではアイソレータとしてサーキュレータを使用する基本的論理を示す参照として提供されている。
【００３２】
[0049]  図７Ｂは、２つのＯＤＵ２０４及び２０６及び１つのＯＣＵ７０２をＲＸ拡張ポート７０８及びＴＸ拡張ポート７１０とともに使用する例示的無線通信システム７００の概略図である。この例示的システムでは、ＯＣＵ７０２は２つの追加のサーキュレータ、すなわち、サーキュレータ７０４及びサーキュレータ７０６を有し、追加の受信信号及び追加の伝送信号に対応する。
【００３３】
[0050]  ＯＣＵ７０２内で、サーキュレータ７０４はＴＸ拡張ポート７１０からの第１のＴＸ信号をその第１のポートにて受信する。サーキュレータ７０４は、第１のＴＸ信号の反射版とともに、ＯＤＵ２０６からの第２のＴＸ信号をその第２のポートで受信する。第１のＴＸ信号及び第２のＴＸ信号は両方とも、サーキュレータ７０４の第３のポートから出力されて、サーキュレータ２１０の第１のポートに送信され、そこでＯＤＵ２０４からの第３のＴＸ信号と合成される。サーキュレータ２０８では、第１のＲＸ信号をサーキュレータ２０８の第１のポートで受信し、第１のＲＸ信号の第１の成分は、サーキュレータの第２のポートを通してＯＤＵ２０４が受信する。第１のＲＸ信号の残りは、サーキュレータ２０８の第３のポートを通して出力され、サーキュレータ７０６の第１のポートへと送信される。サーキュレータ７０６から、第１のＲＸ信号の第２の成分はサーキュレータの第２のポートを通してＯＤＵ２０６が受信し、第１のＲＸ信号の残りの成分はサーキュレータ７０６の第３のポートを通して出力され、ＲＸ拡張ポート７０８を通って伝搬する。システム７００の残りの部分は、システム２００と実質的に同様に作動する。
【００３４】
[0051]  ＲＸ拡張ポート７０８及びＴＸ拡張ポート７１０をＯＣＵ７０２に追加することによって、追加のＯＤＵ及び追加のＯＣＵを備えるシステムが可能になる。この原理は、ＯＣＵの他の実施形態にも当てはまる。ＯＣＵで拡張ポートを使用する必要がない場合は、ポートに負荷を配置して、ポートに送信される可能性があるいかなる信号も効率的な波の反射を可能にすることができる。
【００３５】
[0052]  図８は、２つのＯＤＵを支持し、ＲＸ拡張ポート８１４及びＴＸ拡張ポート８０８を備える例示的ＯＣＵ８００のサーキュレータ板８０２の２つの側８０４及び８０６の図である。第１の側８０４はサーキュレータ８０２の伝送サーキュレータ側８０４と呼ぶこともできる。図５のサーキュレータ板４０６の第１の側５０２と同様に、伝送導波路サーキュレータ５０４を備えるからである。この伝送サーキュレータ側８０４は、図７Ｂのサーキュレータ７０４に対応する追加の伝送導波路サーキュレータ８１０も備える。サーキュレータ板８０２の第２の側８０６は受信サーキュレータ側８０６と呼ぶこともできる。図６のサーキュレータ板４０６の第２の側４０８と同様に、受信導波路サーキュレータ６０４を備えるからである。この受信サーキュレータ側８０６は、図７Ｂのサーキュレータ７０６に対応する追加の受信導波路サーキュレータ８１２も備える。
【００３６】
[0053]  図９は、ＯＤＵ９０２、９０４、９０６及び９０８などの４つのＯＤＵを支持するように設計された例示的ＯＣＵ９１０の概略図である。この例示的ＯＣＵ９１０は、２つのポート、すなわち、ＲＸ入力ポート９３２及びＴＸ出力ポート９３４を有し、少なくとも１つのアンテナに接続する。アンテナに接続した場合、ＲＸ入力ポート９３２及びＴＸ出力ポート９３４をアンテナポートと呼ぶことができるが、これらのポートは、拡張ポートを通して別のＯＣＵに接続するために使用することもできる。ＯＣＵ９１０をアンテナが１つの無線通信システム９００に配置する場合、追加のサーキュレータをポート９３２及び９３４に追加して、アイソレータとして作用させることができる。幾つかの実施形態では、システム９００は信号を受信する１つのアンテナ及び信号を伝送する１つのアンテナを備え、この場合、ポート９３２及び９３４を別個のアンテナに接続することができる。
【００３７】
[0054]  ＯＣＵ９１０は、２つのＯＤＵを支持するように設計されたＯＣＵに関して以前に開示した原理を発展させる。システム９００では、ＯＣＵ９１０は、ＯＣＵ９０２、ＯＤＵ９０６、ＯＤＵ９０４、ＯＤＵ９０８、及び場合によってはＴＸ拡張ポート９３０からの成分ＴＸ信号を合成するのに十分なサーキュレータを備える。同様に、ＯＣＵ９１０はＯＤＵ９０２、ＯＤＵ９０４、ＯＤＵ９０６、ＯＤＵ９０８及びおそらくはＲＸ拡張ポート９２８が受信するために第１のＲＸ信号を成分ＲＸ信号に分割するのに十分なサーキュレータを備える。１つのＯＣＵ９１０のＲＸ拡張ポート９２８を別のＯＣＵ９１０のＲＸ入力ポート９３２に接続し、１つのＯＣＵ９１０のＴＸ拡張ポート９３０を他のＯＣＵ９１０のＴＸ出力ポート９３０に接続することによって、４つのＯＤＵを取り付けた追加のＯＣＵ９１０をシステム９００に加えることができる。幾つかの実施形態では、ＯＤＵ９０２、９０４、９０６及び９０８は、異なる周波数チャネルで作動し、異なる周波数チャネルで作動するＯＤＵにスワップアウトするか、又は相互に切り換えておそらくはシステム９００の性能を強化する。幾つかの実施形態では、ＯＤＵのうち１つ又は複数は、システム９００中の別のＯＤＵと同じ周波数チャネルで作動することができ、したがって将来のバックアップの必要がある場合、ＯＣＵ９１０の正常な作動中に停止することができる。幾つかの実施形態では、２つの拡張ポート９２８及び９３０が自身上に配置された負荷を有し、したがってポートで受信した信号はいずれも反射し、それぞれサーキュレータ９２６又は９２２に戻る。サーキュレータ９２２、９２０、９１４及び９１２内でＴＸ信号を合成する原理は、ＯＣＵの他の実施形態で前述した原理と基本的に同じである。サーキュレータ９１６、９１８、９２４及び９２６内でＲＸ信号を分割する原理は、ＯＣＵの他の実施形態で前述した原理と基本的に同じである。
【００３８】
[0055]  図１０は、ＯＣＵ９１０の例示的サーキュレータ板１０００の受信サーキュレータ側の図である。この実施形態では、ＯＣＵ９１０は導波路及び導波路サーキュレータを使用するが、別のタイプのサーキュレータで別の信号伝達媒体を利用することができる。導波路１００２は、図９ＡのＲＸ入力ポート９３２へと向かう。同様に、ＴＸ出力ポート９３４はサーキュレータ板の他方側でそれに接続された導波路の対応する部分を有する。幾つかの実施形態では、ポート１００４は図９のＯＤＵ９０２にＴＸ及びＲＸ接続部を提供し、ポート１００６は図９のＯＤＵ９０４にＴＸ及びＲＸ接続部を提供する。導波路１００８を使用して、図９のＲＸ拡張ポート９２８とＯＣＵ９１０のサーキュレータのうち１つとの間に接続部を提供する。同様に、ＴＸ拡張ポート９３０は、サーキュレータ板１０００の他方側に導波路の一部分を有し、ＴＸ拡張ポート９３０からＯＣＵ９１０のサーキュレータのうち１つへの接続部を提供する。
【００３９】
[0056]  図１１は、２つのアンテナ１１０２及び１１０４、４つのＯＤＵ９０２、９０４、９０６及び９０８、及び４つのＯＤＵを支持するように設計され、予想される拡張のために拡張ポート９２８及び９３０を備えるＯＣＵ９１０を備える例示的無線通信システム１１００の概略図である。ＯＣＵ９１０は図９に示すように作動するが、信号を受信する専用のアンテナ１１０２と、信号を伝送する専用のアンテナ１１０４とを有する。
【００４０】
[0057]  図１２は、１つのアンテナ１０２、４つのＯＤＵ９０２、９０４、９０６及び９０８、４つのＯＤＵを支持するように設計され、予想される拡張のために拡張ポート９２８及び９３０を備えるＯＣＵ１２０４を備える例示的無線通信システム１２００の概略図である。システム１２００は、追加のサーキュレータ１２０２を利用して、アンテナ１０２に送信されるＴＸ信号及びアンテナ１０２から受信したＲＸ信号を分離する。幾つかの実施形態では、サーキュレータ１２０２はＯＣＵ１２０４の外側に位置決めされた外部サーキュレータであり、幾つかの実施形態では、ＯＣＵ１２０４はＯＣＵの筐体内にサーキュレータ１２０２を備える。アンテナ２つのシステムへの便利な遷移を提供するために、ＯＣＵ１２０４の外側にサーキュレータ１２０２を配置することが有利なことがある。システム１２００が常にアンテナ１つのシステムであることが分かっている場合、不必要な環境への曝露から保護するために、サーキュレータ１２０２をＯＣＵ１２０４の内側に配置することが有利なことがある。
【００４１】
[0058]  図１３は、１つのアンテナ１０２、８つのＯＤＵ、及びそれぞれが４つのＯＤＵを支持するように設計され、予想される拡張のために拡張ポート９２８及び９３０を備える２つのＯＣＵ１２０４及び１３１０を備える例示的無線通信システム１３００の概略図である。
【００４２】
[0059]  システム１３００では、ＯＣＵ１２０４のＲＸ拡張ポート９２８はＯＣＵ１３１０のＲＸ入力ポート９３２に接続され、ＯＣＵ１２０４のＴＸ拡張ポート９３０はＯＣＵ１３１０のＴＸ出力ポート９３４に接続される。ＯＣＵ１２０４及びＯＣＵ１３１０は図１３Ｂでは異なるラベルを有するが、幾つかの実施形態では同一の機能及び構成である。幾つかの実施形態では、システム１３００の各ＯＤＵは、ネットワーク内で改良されたサービスの質を提供するために異なる周波数チャネルに合わせて調整される。幾つかの実施形態では、システム１３００の１つ又は複数のＯＤＵは、別のＯＤＵが故障した場合にバックアップとして作用するために、別のＯＤＵの複製になるように調整することができる。
【００４３】
[0060]  図１４は、拡張ポートなしに４つのＯＤＵ９０２、９０６、９０４及び９０８を支持し、２つのアンテナ１４０２及び１４０４と結合するように設計された例示的ＯＣＵ１４１０の概略図である。ＯＣＵ１４１０内で、サーキュレータは、ＯＤＵ９０４及びＯＤＵ９０８が独占的にアンテナ１４０４を利用し、ＯＤＵ９０２及びＯＤＵ９０６が独占的にアンテナ１４０２を利用するように構成される。この例示的無線通信システム１４００は、システム内の全ＯＤＵがシステムの全アンテナを利用するシステムを生成する、又はシステム内のＯＤＵのサブセットがシステムのアンテナのサブセットを利用するシステムを生成するために、ＯＣＵの設計の汎用性を実証している。例えば、幾つかのシステムでは、一方のアンテナを信号受信に独占的に使用し、サーキュレータを使用することによってシステムの各ＯＤＵの受信機に電気的に結合することができ、他方のアンテナを伝送に独占的に使用し、ＯＣＵ内のサーキュレータを使用することによってシステム内の各ＯＤＵの送信機に電気的に結合することができる。
【００４４】
[0061]  図１５は、ＯＣＵ１５０２が拡張ポートなしに４つのＯＤＵ９０２、９０４、９０６及び９０８を支持するように設計され、１つのアンテナ１５１８に結合された例示的無線通信システム１５００の概略図である。ＯＣＵ１５０２内で、サーキュレータ１５０６、１５１０及び１５１２は集約ＴＸ信号を合成して、サーキュレータ１５１６へと伝送し、これはアイソレータとして作用して、集約ＴＸ信号をアンテナ１５１８へと送信し、アンテナ１５１８からの集約ＲＸ信号を受信して、サーキュレータ１５１４へと送信する。サーキュレータ１５１４は受信信号をサーキュレータ１５０８及び１５０４のために２つの中間ＲＸ信号に分割し、これはさらに、集約ＲＸ信号を４つのＯＤＵの受信機で受信する成分ＲＸ信号に分割する。図１２及び図１３には、ＴＸ信号とＲＸ信号の間のアイソレータとして作用し、アンテナとインタフェースをとる最終的な外部サーキュレータがあったことに留意されたい。この実施形態では、最終的な分離サーキュレータはＯＣＵ内に含まれる。
【００４５】
[0062]  図１６は、屋外結合ユニットからの信号を伝送する方法１６００の流れ図である。該方法は、屋外結合ユニット（ＯＣＵ）によって（及びＯＣＵにて）実行される。ＯＣＵは、１６０２で第１の伝送信号を第１の伝送ポートで受信する。幾つかの実施形態では、第１の伝送信号は第１の屋外ユニット（ＯＤＵ）から来て、幾つかの実施形態では、第１の伝送信号は別のＯＣＵから来ることもある。
【００４６】
[0063]  ＯＣＵは、１６０４で第２の伝送信号を第２の伝送ポートで受信する。幾つかの実施形態では、第２の伝送信号は第２のＯＤＵから来て、第２のＯＤＵが第１のＯＤＵとは異なる周波数チャネルで作動する。幾つかの実施形態では、第２の伝送信号は別のＯＣＵから来る。
【００４７】
[0064]  ＯＣＵは、１６０６で第１の伝送信号を第２の伝送信号と第１のサーキュレータにて合成し、第３の伝送信号を生成する。第１のサーキュレータは、ＯＣＵの第１の伝送ポートからの第１の伝送信号を第１のサーキュレータの第１のポートで受信することによって、第１の伝送信号と第２の伝送信号とのこの合成を効果的に実行する。第１の伝送信号は、第１のサーキュレータの第２のポートを通してＯＣＵの第２の伝送ポートに向かって出力される。ＯＣＵの第２の伝送ポートにて、第１の伝送信号が反射して、第１のサーキュレータの第２のポートに向かう。第２の伝送信号も、第１のサーキュレータの第２のポートへと進行する。第１のサーキュレータは、反射した第１の伝送信号及び第２の伝送信号をこの第３のポートを通して送信し、第１の伝送信号と第２の伝送信号を効果的に合成する。
【００４８】
[0065]  ＯＣＵは、１６０８で第３の伝送信号を第２のサーキュレータに送信する。ＯＣＵは、１６１０でアンテナに出力するために第２のサーキュレータにて第３の伝送信号を選択する。幾つかの実施形態では、第２のサーキュレータを、アンテナとの間で送受信する伝送信号及び受信信号を分離するアイソレータと言うことができる。第２のサーキュレータは、第２のサーキュレータの第１のポートで第３の伝送信号を受信し、サーキュレータの第２のポートを通して第３の伝送信号をアンテナへと送信することによって、伝送信号と受信信号を効果的に分離する。第２のサーキュレータは、アンテナから第２のポートで受信信号を受信することができるが、第３のポートを通して受信信号を出力する。
【００４９】
[0066]  図１７は、出力結合ユニットで信号を受信する方法１７００の流れ図である。ＯＣＵは、１７０２で屋外結合ユニットの第１のサーキュレータにてアンテナから第１の受信信号を受信する。幾つかの実施形態では、第１の受信信号は成分受信信号を備える。ＯＣＵは、１７０４で第２のサーキュレータに出力するために第１のサーキュレータで第１の受信信号を選択する。幾つかの実施形態では、第１のサーキュレータは、アンテナとの間で送受信する伝送信号と受信信号を分離するアイソレータと言うことができる。この分離サーキュレータは、前述した伝送方法で分離サーキュレータと実質的に同じように働く。
【００５０】
[0067]  ＯＣＵは、１７０６で第１の受信信号を第２のサーキュレータにて第２の受信信号と第３の受信信号に分割する。第２のサーキュレータは、（その第１のポートで）受信した第１の受信信号を第２のポートを通してＯＣＵの第１の受信ポートへと送信することによって、この信号分割を効果的に実行する。第１の受信信号の１つの成分（第２の受信信号）は、１７０８でＯＣＵの第１の受信ポートが受信する。第１の受信信号の残りの成分（第３の受信信号）は、第１の受信ポートで反射して、第２のサーキュレータの第２のポートへと戻る。第３の受信信号は第２のサーキュレータの第３のポートから出力される。ＯＣＵは、１７１０で第３の受信信号を第２の受信ポートにて受信する。
【００５１】
[0068]  以上の説明及び添付図面で提示された教示の利点を有する本明細書に記載する本発明の多くの変更及び他の実施形態が、本発明の当業者に想起される。したがって、本発明は開示された実施形態の特定の例に限定されず、変更及び他の実施形態が特許請求の範囲に含まれるように意図されることを理解されたい。本明細書では特定の用語を使用しているが、それは包括的かつ説明的な意味のみで使用されており限定の目的ではない。
【００５２】
[0069]  以上の記述は、説明のために特定の実施形態に関して記載されている。しかし、以上の例示的検討は網羅的でも、開示された厳密な形体に本発明を限定するものでもない。以上の教示に鑑みて、多くの変更及び変形が可能である。実施形態は、本発明の原理及びその実際的用途を最もよく説明し、それによって当業者が本発明及び様々な実施形態を、特定の想定される使用に適しているような様々な変形とともに利用できるようにするために選択され、記載したものである。
【図１Ａ】
2015053679.tif 000003
【図１Ｂ】
2015053679.tif 000004
【図２】
2015053679.tif 000005
【図３】
2015053679.tif 000006
【図４】
2015053679.tif 000007
【図５】
2015053679.tif 000008
【図６】
2015053679.tif 000009
【図７Ａ】
2015053679.tif 000010
【図７Ｂ】
2015053679.tif 000011
【図８】
2015053679.tif 000012
【図９】
2015053679.tif 000013
【図１０】
2015053679.tif 000014
【図１１】
2015053679.tif 000015
【図１２】
2015053679.tif 000016
【図１３】
2015053679.tif 000017
【図１４】
2015053679.tif 000018
【図１５】
2015053679.tif 000019
【図１６】
2015053679.tif 000020
【図１７】
2015053679.tif 000021
【外国語明細書】
2015053679000001.pdf